(57)【要約】      （修正有）【課題】疑似餌又は錘の脱落を防止する釣り用の錘及びジグヘッドを提供する。【解決手段】釣り用錘１００は、錘部１１０と、ワーム保持部１２０とを備えている。ワーム保持部１２０は、錘部１１０かららせん状に延びたらせん部１２２と、らせん部１２２の中心線に沿って延びた中心針１２４とを備えている。錘部１１０は、らせん部１２２の中心線の延長線上に窪みを有する。また、錘部１１０は、一部に窪み１１２を有した二股形状を有する。錘部１１０の質量の多くは、窪み１１２の両側に配分されている。【選択図】図２
0003160577.tif 000002
【実用新案登録請求の範囲】
【請求項１】
錘部と、
前記錘部かららせん状に延びたらせん部と、
前記らせん部の中心線に沿って延びた中心針部と
を備え、
前記錘部は、前記らせん部の中心線の延長線上に窪みを有する、釣り用錘。
【請求項２】
前記錘部の質量の多くは、前記窪みの両側に配分されている、請求項２に記載された釣り用錘。
【請求項３】
前記らせん部は、同径同ピッチで形成されている、請求項１又は２に記載された釣り用錘。
【請求項４】
錘部と、
前記錘部に設けられたアイと、
前記錘部から延びた針部と、
前記針部の基端部の周りに延びたらせん状の針金からなるワーム保持部と
を備えた、ジグヘッド。
【請求項５】
前記アイと前記針部とは、同一の面に沿って延びており、前記錘部から前記アイが突出するのと同じ方向において、前記錘部から延びる前記針部の針先が設けられている、請求項４に記載されたジグヘッド。
【請求項６】
前記ワーム保持部の基端部は、前記錘部から前記アイや前記針部の前記針先が設けられる方向において、前記針部の基端部近傍に沿って延びている、請求項５に記載されたジグヘッド。
【請求項７】
ワーム保持部の基端部は、錘部から針部の基端部の周りに延びている、請求項４に記載されたジグヘッド。
【請求項８】
ワーム保持部の基端部とワーム保持部の先端部を、針部の周りの同じ方向に合わせた、請求項７に記載されたジグヘッド。
【請求項９】
前記ワーム保持部のらせん状の部分は、同径同ピッチで形成されている、請求項４から８までの何れか一項に記載されたジグヘッド。
【考案の詳細な説明】
【技術分野】
【０００１】
本考案は釣り用の錘及びジグヘッドに関する。
【背景技術】
【０００２】
釣り用の錘及びジグヘッドは、例えば、疑似餌（ソフトワーム）を用いた仕掛けに用いられる。
【考案の概要】
【考案が解決しようとする課題】
【０００３】
疑似餌や錘の脱落防止など、今までにない釣り用の錘及びジグヘッドを提案する。
【課題を解決するための手段】
【０００４】
本考案に係る釣り用錘は、錘部と、錘部かららせん状に延びたらせん部と、らせん部の中心線に沿って延びた中心針部とを備えている。錘部は、らせん部の中心線の延長線上に窪みを有する。また、本考案に係るジグヘッドは、錘部と、錘部に設けられたアイと、錘部から延びた針部と、針部の基端部の周りに延びたらせん状の針金からなるワーム保持部とを備えている。
【図面の簡単な説明】
【０００５】
【図１】本考案の一実施形態に係る釣り用錘を示す図。
【図２】本考案の一実施形態に係る釣り用錘の使用状態を示す図。
【図３】本考案の一実施形態に係るジグヘッドを示す図。
【図４】本考案の一実施形態に係るジグヘッドを示す図。
【図５】本考案の一実施形態に係るジグヘッドの使用状態を示す図。
【図６】本考案の他の実施形態に係るジグヘッドの使用状態を示す図。
【考案を実施するための形態】
【０００６】
以下、本考案の一実施形態に係る釣り用錘及びジグヘッドを図面に基づいて説明する。なお、同じ作用を奏する部材又は部位には同じ符号を付している。
【０００７】
この実施形態では、釣り用錘１００は、図１に示すように、錘部１１０と、ワーム保持部１２０とを備えている。ワーム保持部１２０は、錘部１１０かららせん状に延びたらせん部１２２と、らせん部１２２の中心線Lに沿って延びた中心針１２４とを備えている。錘部１１０は、らせん部１２２の中心線Lの延長線上に窪みを有する。また、錘部１１０は、一部に窪み１１２を有した二股形状を有する。この実施形態では、錘部１１０の質量の多くは、窪み１１２の両側に配分されている。
【０００８】
この実施形態では、ワーム保持部１２０は、針金からなる。錘部１１０は、鉛やタングステンなど釣り用の錘として機能するための所要の比重を有する金属や合金で形成されている。釣り用錘１００は、例えば、鋳造により製造できる。この場合、鋳型は、錘部１１０を成形する所要の鋳造空間を有している。そして、当該鋳造空間に対して、ワーム保持部１２０となる針金を所定位置に配置した状態で、当該鋳型に錘部１１０の材料を溶融させた液体を流し込む。これにより、錘部１１０にワーム保持部１２０が一体化された釣り用錘１００が製造される。
【０００９】
この釣り用錘１００は、図２に示すように、疑似餌１３０（いわゆるソフトワーム）にねじ込むことによって、疑似餌１３０の任意の位置に取り付けることができる。また、錘部１１０は、一部に窪み１１２を有した二股形状を有する。このため、図２に示す例では、疑似餌１３０にオフセットして取り付けられる釣り針１４０（いわゆるオフセットフック）を用いる場合に、疑似餌１３０と釣り針１４０との隙間に装着することも可能である。この場合、疑似餌１３０にオフセットして取り付けられたオフセットフック（釣り針１４０）の近傍位置に、疑似餌１３０の重心を調整することができる。これにより、水中において、疑似餌１３０の重心が低くなる。これにより、疑似餌１３０に今までにない動きを生じさせることができる。
【００１０】
次に、ジグヘッド２００を説明する。ジグヘッド２００は、図３に示すように、錘部２１０と、アイ２２０と、針部２３０と、ワーム保持部２４０とを備えている。この実施形態では、錘部２１０は、略球形の錘であり、鉛やタングステンなど釣り用の錘として機能するための所要の比重を有する金属や合金で形成されている。アイ２２０と針部２３０は、錘部２１０に設けられている。アイ２２０は、ライン２６０（釣り糸、図５参照）が結ばれる部位である。針部２３０は魚に刺さる部位である。
【００１１】
この実施形態では、アイ２２０と針部２３０は、錘部２１０の内部で繋がっている。アイ２２０と針部２３０とは、同一の面に沿って延びており、錘部２１０からアイ２２０が突出するのと同じ方向において、錘部２１０から延びる針部２３０の針先２３１が設けられている。
【００１２】
また、ワーム保持部２４０は、針部２３０にワーム（疑似餌２５０（いわゆるソフトワーム））を保持する部位である。このジグヘッド２００は、錘部２１０から延びた針部２３０の基端部の周りにらせん状の針金からなるワーム保持部２４０が設けられている。この実施形態では、ワーム保持部２４０の基端部２４１は、図３及び図４に示すように、錘部２１０からアイ２２０や針部２３０の針先２３１が設けられる方向において、針部２３０の基端部２３２の近傍に沿って延びている。
【００１３】
針部２３０には、疑似餌２５０（いわゆるソフトワーム）を取り付けることができる。針部２３０に疑似餌２５０を取り付ける際には、図５に示すように、ワーム保持部２４０にねじ込むことができる。これにより、疑似餌２５０が針部２３０から脱落し難い。また、アイ２２０にはライン２６０（釣り糸）を結び、ロッドやリールを操作することによって疑似餌を操ることができる。
【００１４】
以上、本考案の一実施形態に係る釣り用錘及びジグヘッドを説明したが、本考案は上記の実施形態に限定されない。
【００１５】
例えば、図６に示すように、ジグヘッド２００Ａのワーム保持部２４０の基端部２４２は、錘部２１０かららせんしつつ、針部２３０の基端部２３２の周りに延びていてもよい。この場合、疑似餌２５０を錘部２１０までねじ込んで装着することができる。さらに、この実施形態では、ワーム保持部２４０の基端部２４２とワーム保持部２４０の先端部２４３を、針部の周りの同じ方向に合わせている。
【００１６】
なお、図１から図６に示すように、上述した実施形態では、釣り用錘１００のワーム保持部１２０及びジグヘッド２００のワーム保持部２４０は、それぞれらせん状の針金部分を有している。上述した実施形態では、当該らせん部分は、同径同ピッチに形成されている。これらのワーム保持部１２０及びワーム保持部２４０は、ソフトワームにねじ込まれる。この際、らせん部分が同径同ピッチに形成されているので、ソフトワームの同じ位置に、ワーム保持部１２０及びワーム保持部２４０のらせん部分を通過させることができる。これにより、ソフトワームに生じる損傷を小さく抑えることができる。このため、当該損傷に起因して、ソフトワームがワーム保持部１２０及びワーム保持部２４０から脱落するのを抑止することができる。
【符号の説明】
【００１７】
１００  釣り用錘
１１０  錘部
１１２  窪み
１２０  ワーム保持部
１２２  らせん部
１２４  中心針
１３０  疑似餌
１４０  釣り針
２００、２００Ａ  ジグヘッド
２１０  錘部
２２０  アイ
２３０  針部
２３１  針先
２３２  基端部
２４０  ワーム保持部
２４１  基端部
２４２  基端部
２４３  先端部
２５０  疑似餌
２６０  ライン
L  らせん部１２２の中心線
【図１】
0003160577.tif 000003
【図２】
0003160577.tif 000004
【図３】
0003160577.tif 000005
【図４】
0003160577.tif 000006
【図５】
0003160577.tif 000007
【図６】
0003160577.tif 000008
【手続補正書】
【提出日】平成22年4月15日(2010.4.15)
【手続補正１】
【補正対象書類名】実用新案登録請求の範囲
【補正対象項目名】全文
【補正方法】変更
【補正の内容】
【実用新案登録請求の範囲】
【請求項１】
錘部と、
前記錘部かららせん状に延びたらせん部と、
前記らせん部の中心線に沿って延びた中心針部と
を備え、
前記錘部は、前記らせん部の中心線の延長線上に窪みを有する、釣り用錘。
【請求項２】
前記錘部の質量の多くは、前記窪みの両側に配分されている、請求項１に記載された釣り用錘。
【請求項３】
前記らせん部は、同径同ピッチで形成されている、請求項１又は２に記載された釣り用錘。
【請求項４】
錘部と、
前記錘部に設けられたアイと、
前記錘部から延びた針部と、
前記針部の基端部の周りに延びたらせん状の針金からなるワーム保持部と
を備えた、ジグヘッド。
【請求項５】
前記アイと前記針部とは、同一の面に沿って延びており、前記錘部から前記アイが突出するのと同じ方向において、前記錘部から延びる前記針部の針先が設けられている、請求項４に記載されたジグヘッド。
【請求項６】
前記ワーム保持部の基端部は、前記錘部から前記アイや前記針部の前記針先が設けられる方向において、前記針部の基端部近傍に沿って延びている、請求項５に記載されたジグヘッド。
【請求項７】
ワーム保持部の基端部は、錘部から針部の基端部の周りに延びている、請求項４に記載されたジグヘッド。
【請求項８】
ワーム保持部の基端部とワーム保持部の先端部を、針部の周りの同じ方向に合わせた、請求項７に記載されたジグヘッド。
【請求項９】
前記ワーム保持部のらせん状の部分は、同径同ピッチで形成されている、請求項４から８までの何れか一項に記載されたジグヘッド。